(57)【特許請求の範囲】
【請求項１】
商品ディスプレイシステム用の装置であって、
商品を収容するディスプレイ領域の付近における人の存在を検出する検出器と、
前記ディスプレイ領域の付近における温度を調節する温度調節デバイスと、
前記検出に基づいて、前記温度調節デバイスの出力を商品のタイプに依存して調整するように前記温度調節デバイスを制御するコントローラと、
を含み、
前記温度調節デバイスは、輻射熱放熱器を含む、装置。
【請求項２】
商品ディスプレイシステム用の装置であって、
商品を収容するディスプレイ領域の付近における人の存在を検出する検出器と、
前記ディスプレイ領域の付近における温度を調節する温度調節デバイスと、
前記検出に基づいて、熱パルス及び／又は冷パルスを提供するように前記温度調節デバイスを制御するコントローラと、
を含み、
前記温度調節デバイスは、輻射熱放熱器を含む、装置。
【請求項３】
商品ディスプレイシステム用の装置であって、
商品を収容するディスプレイ領域の付近における人の存在を検出する検出器と、
前記ディスプレイ領域の付近における温度を調節する温度調節デバイスと、
前記検出に基づいて、前記温度調節デバイスを制御するコントローラと、
タイマーと、
を含み、
前記温度調節デバイスは、輻射熱放熱器を含み、
前記コントローラは、前記タイマーによって提供される時間情報に基づいて前記温度調節デバイスを制御する、装置。
【請求項４】
前記商品ディスプレイシステムに組み込まれる、請求項１乃至３のいずれか一項に記載の装置。
【請求項５】
前記温度調節デバイスは、冷却デバイスを含む、請求項１乃至３のいずれか一項に記載の装置。
【請求項６】
広告装置である、請求項１乃至３のいずれか一項に記載の装置。
【請求項７】
前記コントローラは、前記検出器によって人の存在が検出される限り、前記温度調節デバイスをオンにし続ける、請求項１又は２に記載の装置。
【請求項８】
前記コントローラは、前記検出器によって人の存在が、所定の検出頻度で検出されると、前記温度調節デバイスをオンにし続ける、請求項１又は２に記載の装置。
【請求項９】
前記ディスプレイ領域に対する人の向きを検出する検出器を含み、前記コントローラは、前記検出された向きに基づいて、前記温度調節デバイスを制御する、請求項１乃至３のいずれか一項に記載の装置。
【請求項１０】
商品を収容するディスプレイ領域と、
請求項１乃至９のいずれか一項に記載される装置と、
を含む、商品ディスプレイシステム。
【請求項１１】
商品を収容するディスプレイ領域と、
商品ディスプレイシステム用の装置であって、
商品を収容するディスプレイ領域の付近における人の存在を検出する検出器と、
前記ディスプレイ領域の付近における温度を調節する温度調節デバイスと、
前記検出に基づいて、前記温度調節デバイスを制御するコントローラと、
を含み、前記温度調節デバイスは、輻射熱放熱器を含む、装置と、
を含み、
前記温度調節デバイスは、前記商品がそこから人に見える領域における温度調節を提供する、商品ディスプレイシステム。
【請求項１２】
商品ディスプレイシステムの温度調節を制御する方法であって、
商品を収容するディスプレイ領域の付近における人の存在を検出するステップと、
前記検出に基づいて、前記ディスプレイ領域の付近における温度を調節する温度調節デバイスを制御するステップと、
を含み、
前記温度調節デバイスは、輻射熱放熱器を含み、
前記温度の前記調節は、商品のタイプに依存する、方法。
【請求項１３】
商品ディスプレイシステムの温度調節を制御する方法であって、
商品を収容するディスプレイ領域の付近における人の存在を検出するステップと、
前記検出に基づいて、熱パルス及び／又は冷パルスを提供するように前記ディスプレイ領域の付近における温度を調節する温度調節デバイスを制御するステップと、
を含み、
前記温度調節デバイスは、輻射熱放熱器を含む、方法。
【請求項１４】
商品ディスプレイシステムの温度調節を制御する方法であって、
商品を収容するディスプレイ領域の付近における人の存在を検出するステップと、
前記検出に基づいて、前記ディスプレイ領域の付近における温度を調節する温度調節デバイスを制御するステップと、
を含み、
前記温度調節デバイスは、輻射熱放熱器を含み、
前記温度の前記調節は、タイマーによって提供される時間情報に基づく、方法。
【請求項１５】
商品ディスプレイシステムを照らす照明システムであって、請求項１乃至９のいずれか一項に記載の装置を含む、照明システム。
【発明の詳細な説明】
【技術分野】
【０００１】
本発明は、概して、商品ディスプレイの分野に関する。特に、本発明は、商品ディスプレイシステムの広告装置の分野に関する。
【背景技術】
【０００２】
商品ディスプレイシステムは、小売店において、顧客に製品を提示するために使用され、製品がその中に収容されるディスプレイ領域を含む。ディスプレイ領域は、例えば、その上に商品が置かれる棚又は商品が衣類である場合は衣類ラックであってよい。ディスプレイ領域は、店の窓の内側又は実際の店内といった、顧客が商品に気が付き近づくことができる場所に位置付けられる。顧客は、商品に近づくと、商品を評価し、それを購入するか否かを決定する。
【発明の概要】
【発明が解決しようとする課題】
【０００３】
本発明は、改良された商品ディスプレイシステムを提供することを目的とする。更に、本発明は、商品の評価プロセスの間に当該商品が収容されるディスプレイ領域の近位にいる人に影響を及ぼす装置を提供することを目的とする。
【課題を解決するための手段】
【０００４】
本発明の第１の態様によれば、この目的及び他の目的は、商品ディスプレイシステム用の装置によって達成される。当該装置は、商品（又は製品）を収容するディスプレイ領域の付近における人の存在を検出する検出器と、ディスプレイ領域の付近における温度を調節する温度調節デバイスとを含む。当該装置は更に、検出に基づいて、温度調節デバイスを制御するコントローラを含む。
【０００５】
本発明の第２の態様によれば、商品ディスプレイシステムの付近における温度を制御する方法が提供される。当該方法は、商品を収容するディスプレイ領域の付近における人の存在を検出するステップと、検出に基づいて、ディスプレイ領域の付近における温度を調節する温度調節デバイスを制御するステップとを含む。
【０００６】
本発明は、商品ディスプレイ領域の付近において立っている人を検出し、（知覚される）温度の局所的な調節によってディスプレイされている商品の当該人の主観的な鑑賞眼に影響を及ぼすことによるインタラクティブな広告の概念を使用する。人がディスプレイ領域に近づくと、それが検出され、温度調節デバイスの出力（例えば熱出力及び／又は冷却出力）が調節され、これにより、人は、当該商品の前に立っているときに、温度の違いを感じることができる。本発明は、温度差が、人がどう商品を知覚するかに寄与する点で有利である。温度差の知覚は、人によって意識的に又は無意識的に観察され、商品を評価している際の人の気持ちに影響を及ぼす。本発明では、温度差が心地良いものとして知覚されることがあるので、温度調節デバイスからの調節された出力が顧客の感情に影響を及ぼす。心地良いという感情は、翻っては、人に当該商品を購入するように影響を及ぼすことがある。つまり、本発明は、商品ディスプレイシステムに組み込まれる新しいタイプの広告を提供する点で有利であり、当該広告は、（知覚される）温度の局所的な調節（例えば熱及び／又は冷たさによる）によって商品に対する顧客の気持ちに影響を及ぼすことに基づいており、これは、店の売上げを増加する可能性がある。
【０００７】
したがって、本発明は、商品のディスプレイのための改良型装置を提供する点で有利である。本発明の装置は、人の存在の検出に応答して作動される温度調節デバイスの形の広告機能を含む。当該広告機能は、暖かさ及び／又は冷たさを感じる人に依存する。特に、発明者は、人の感情、したがって、人の購入決断は、周囲の条件から影響を受けることがあるということを認識している。
【０００８】
本開示では、用語「商品」は、広く解釈されるべきであり、販売のためにディスプレイされる任意の製品を含む。実際のデバイスに加えて、例えば旅行のマーケティング資料、サービス及びより非物理的な特性の他の物が、ディスプレイ領域においてディスプレイされてもよい。
【０００９】
更に、当然ながら、用語「人」は、ディスプレイ領域の付近において検出されることが好適である任意のターゲットとして解釈されてよい。例えば検出器は、ディスプレイ領域の付近にいるペット（例えば犬）を検出してもよい。ペットは、温度差を認識して、例えばしっぽを振る又は音を出すことによって好むという気持ちをペットの所有者に表現し、これにより、所有者に商品を購入するように影響を与えることもある。したがって、所有者（即ち、ペットをリードしている人）は、温度差によって間接的にトリガされ、購入決断において影響を受ける。
【００１０】
本発明の一実施形態によれば、温度調節デバイスは放熱器を含んでもよい。これは、上昇された温度が、人によって、心地良いという感情として知覚されるという点で有利である。
【００１１】
別の実施形態では、温度調節デバイスは冷却デバイスを含んでもよい。これは、特に暑く陽の降り注ぐ夏の日といった周囲温度が高い場合に、減少された温度が、さわやかという感情として知覚される点で有利である。冷却デバイスは、例えば空調器又は冷却ファンであってよい。
【００１２】
当然ながら、温度調節デバイスは、放熱器及び冷却デバイスの両方を含んでもよい。
【００１３】
本発明の一実施形態によれば、当該装置は、広告装置である。広告装置は、熱又は冷たさの感覚をもたらすことによって顧客の気持ちに影響を与え、これにより商品の売上げは、増加する可能性がある。
【００１４】
本発明の一実施形態によれば、コントローラは、検出に基づいて、温度調節デバイスの出力を増加させるように温度調節デバイスを制御する。放熱器の場合、熱出力が増加され、冷却デバイスの場合、冷却出力が増加される。したがって、人は、商品に近づくと、暖かさ又は冷たさの感覚を感じる。本実施形態は、人は、暖かさ又は冷たさの感覚を、落ち着く／心地良い／さわやかな感情として知覚し、これにより、当該商品をその感情と関連付ける点で有利である。温度調節デバイスは、人が、温度の僅かな上昇又は低下しか知覚しないように、ほんの僅かにその出力を増加させることが好適である。出力がほんの僅かに増加される場合、人は、単に暖かさ又は冷たさを、即ち、無意識に知覚するが、依然として商品をその暖かさ又は冷たさの感情と関連付ける。したがって、顧客は、当該商品の評価プロセスの間に、熱又は冷たさによって、無意識にトリガされる。
【００１５】
更に、出力の調節（及び温度の変化）は、商品のタイプ及び／又はコントローラに接続される温度センサによって測定される局所的な温度に依存する。
【００１６】
代替実施形態では、温度調節デバイスは、誰も検出されない間、特定の出力（例えば特定の熱又は冷出力）を提供し、人が検出されると、コントローラは、その出力を減少させるように温度調節デバイスを制御する。
【００１７】
本発明の一実施形態によれば、コントローラは、検出器によって人の存在が検出される限り、温度調節デバイスを（ターン／スイッチ）オンにし続ける（即ち、放熱器の場合は熱放射モード、及び、冷却デバイスの場合は冷却モードにし続ける）。したがって、人は、ディスプレイ領域の付近にいる限り、調節された温度を感じる。本実施形態は、ディスプレイ領域の付近に人がいない場合には、温度調節デバイスはオフにされるため、エネルギー節約を提供する。例えば、熱／冷却出力は、検出器によって人の存在が検出される限り、同じレベルに維持される。
【００１８】
本発明の一実施形態によれば、コントローラは、検出に基づいて、熱パルス及び／又は冷パルスを提供するように温度制御デバイスを制御する。パルスは、例えば１〜５秒間持続する。この場合、人は、ディスプレイ領域に近づくと、温度調節を単に感じる。本実施形態は、温度調節デバイスが数秒間の間しかオンにされないため、エネルギー節約を提供する。
【００１９】
本発明の一実施形態によれば、コントローラは、検出器によって人の存在が、所定の検出頻度で検出される（即ち、人が所定の時間内に所定の回数、検出される）と、温度調節デバイスを（ターン／スイッチ）オンにし続ける。したがって、人が頻繁にディスプレイ領域を通り過ぎる場合、例えば店内が混んでいる場合、温度調節デバイスの出力は一定で、例えば温度調節デバイスをオン及びオフにすることによって出力を頻繁に調節する必要性が低減され、これにより、温度が繰り返し増加及び減少される加熱及び／又は冷却要素の寿命が増加される。例えば出力は、検出器によって人の存在が所定の頻度で検出される場合、同じレベルに維持される。
【００２０】
本発明の一実施形態によれば、当該装置はタイマーを更に含み、当該コントローラは、タイマーによって提供される時間情報に基づいて温度調節デバイスを制御する。例えば温度調節デバイスは、日中は２つの時点間、及び／又は、人の検出後の所定の時間の間は、増加された出力を提供するように制御されるか、又は、温度調節デバイスは、日中の特定の時間の間、動作停止にされてもよい。
【００２１】
本発明の一実施形態によれば、当該装置は、ディスプレイ領域に対する人の向きを検出する検出器を更に含み、当該コントローラは、検出された向きに基づいて、温度調節デバイスを制御する。本実施形態は、温度調節デバイスの出力は、人が振り向き、したがって、場合により、ディスプレイ領域を覗き込んでいることが検出されるときにのみ調節される点で有利である。したがって、ディスプレイ領域の付近に立っているが、ディスプレイ領域を覗き込んではおらず、したがって、当該商品に関心を寄せていない人は、温度調節デバイスは作動させない。したがって、本実施形態による装置は、少ない熱及び／又は冷たさが出力される（即ち、温度調節デバイスの不要な出力は回避される）ため、エネルギー効率が向上される。検出器は、例えば人の顔を検出可能な顔検出器、又は、人の歩行／動作方向を検出可能な動作検出器であってよい。
【００２２】
本発明の一実施形態によれば、商品ディスプレイシステムが提供される。商品ディスプレイシステムは、商品を収容するディスプレイ領域と、上記の実施形態の何れか１つに規定される装置とを含む。本実施形態は、商品ディスプレイシステムが、ディスプレイ領域の付近に立っている人を検出でき、（例えば熱放射又は冷却によって）人に温度変化の感覚をもたらし、これにより、ディスプレイされている商品に対する人の気持ちに影響を与える点で有利である。
【００２３】
一実施形態では、温度調節デバイスは、商品がそこから人に見える領域における温度調節を提供する。これは、人が、当該商品を見ている間に、かつ、商品に近づくことなく、温度差を感じる点で有利である。
【００２４】
本発明の一実施形態によれば、商品ディスプレイシステムを照らす照明システムが提供される。照明システムは、上記の実施形態の何れか１つに規定される装置を含む。
【００２５】
なお、本発明は、請求項に記載される特徴のすべての可能な組み合わせに関する。更に、当然ながら、装置について説明される様々な実施形態はすべて、本発明の第２の態様に従って規定される方法と組み合わせ可能である。
【００２６】
本発明の更なる目的、特徴及び利点は、以下に詳述される開示、図面及び添付の請求項を検討することによって明らかとなろう。当業者であれば、本発明の様々な特徴は、以下に説明される実施形態とは異なる実施形態をもたらすように組み合わせてもよいことは認識するであろう。
【図面の簡単な説明】
【００２７】
本発明のこれらの及び他の態様が、本発明の実施形態を示す添付図面を参照して、以下により詳細に説明される。
【００２８】
【図１】図１は、本発明の一実施形態による商品ディスプレイシステムを示す。
【図２】図２は、本発明の一実施形態による商品ディスプレイの温度調節を制御する方法を示す。
【００２９】
図面は概略的で、必ずしも縮尺通りではなく、また、概して、本発明を説明するために必要な部分のみを示し、他の部分は省略されているか又は単に示唆されている。
【発明を実施するための形態】
【００３０】
図１を参照して、本発明の一実施形態による商品ディスプレイシステムが説明される。
【００３１】
図１は、小売店における配置のための商品ディスプレイシステム１を示す。商品ディスプレイシステム１は、その中に商品３が収容されるディスプレイ領域２を含む。図１に示される本実施形態では、ディスプレイ領域２は、衣類ラックを含み、商品３は衣類である。しかし、ディスプレイ領域２は、任意の領域、エリア、棚又はラックを含んでよく、そこに、１つ以上の商品が配置（又は設置）される。また、商品３は、小売製品又は旅行若しくはサービスのマーケティング資料といった任意の種類の商品であってよい。
【００３２】
商品ディスプレイシステム１は更に、広告装置１０を含む。広告装置１０は、（図１に示されるように）ディスプレイ領域２のラックとは別個に取付けられても、ディスプレイ領域２のラック（又は任意の物理的な部分）に取付けられてもよい（図示せず）。広告装置１０は、ディスプレイ領域２及び商品３の付近に熱を提供する放熱器といった温度調節デバイス４を含む。放熱器４は、ＩＲランプといった赤外線（ＩＲ）ヒーターであってもよい。
【００３３】
一実施形態では、温度調節デバイス４は、ディスプレイ領域２及び商品３の付近の領域を冷却する空調器又は冷却ファンといった冷却デバイスであってもよい。例えば冷却デバイスは、ディスプレイ領域２の付近に冷却された空気を提供する。しかし、以下では、広告装置１０は、例示的な例として放熱器４を使用して説明される。当然ながら、冷却デバイスが放熱器４の代わりに又は補完的に使用される場合、「熱出力」のような用語の代わりに又は補完的に、「冷却出力」のような用語が適用される。
【００３４】
広告装置１０は更に、例えばディスプレイ領域２から１〜３メートルといったディスプレイ領域２の付近における人８の存在を検出する検出器５を含む。検出器５の検出領域は、ディスプレイ領域２の片側に限定されるか、又は、ディスプレイ領域２を囲む。検出器５は、例えば動作検出器及び／又は距離検出器であってよい。一実施形態では、検出器５は、顔検出器といったように、人がディスプレイ領域に面しているかどうかを検出する検出器であってもよい。更に、広告装置１０は、同じ又は異なる種類の検出器を幾つか含んでもよい。
【００３５】
広告装置１０は更に、検出器５から検出信号を受信し、検出信号に基づいて放熱器４を制御するコントローラ６を含む。コントローラ６は、検出器５又は放熱器４内に配置されても、別個のユニットとして配置されてもよく、また、検出器５からの信号を処理し、放熱器４に制御信号を提供する処理手段を含んでよい。一実施形態では、広告装置１０は更に、コントローラ６に時間情報を提供するタイマー（図示せず）を含んでもよい。コントローラ６は、この時間情報を使用して、放熱器４を制御する。
【００３６】
任意選択的に、広告装置は更に、検出器５によって人８が検出される回数を計数し、当該数を記憶し、及び／又は、どれくらいの時間の間、人８が検出器によって検出されたかを測定し、当該測定された時間を記憶する測定ユニット（図示せず）を含む。この場合、広告装置１０は、ディスプレイ領域２を何人の人が通り過ぎたか、また、どれくらいの時間の間、人がディスプレイ領域２の付近にいたか（また、場合により、ディスプレイ領域を覗き込んでいたか）に関する統計情報を提供する。
【００３７】
一実施形態では、商品ディスプレイシステム１は、ディスプレイ領域２、したがって、商品３を照らす照明装置７を含む。任意選択的に、広告装置１０は、照明装置７内に含まれ（即ち、組み込まれ）てもよく、また、その反対であってもよい。
【００３８】
以下において、図１及び図２を参照して、商品ディスプレイシステム１の機能と、本発明の一実施形態による広告装置１０によって提供される温度調節を制御する方法２００とが説明される。
【００３９】
好適には、放熱器４の初期モードは、ゼロ熱出力を提供する。即ち、放熱器４はオフである。或いは、放熱器４は、初期モードでは、連続的な（好適には低）熱出力を提供してもよい。人８がディスプレイ領域２に近づくと、検出器５が、ステップ２０１において、人８の存在を検出し、当該検出に基づく検出信号を、コントローラ６に提供する。ステップ２０１における検出に応答して、コントローラ６は、ステップ２０２において、例えば単に放熱器４をオンにする及び／又はその熱出力を僅かに増加させることによって、放熱器４を制御してその熱出力を調節する。熱出力は、例えば検出器５がディスプレイ領域２の付近に人８の存在を検出する限り、及び／又は、所定の時間（例えば１分）の間、増加されたままであってもよい。或いは、放熱器４は、短い時間の間だけ増加された熱出力（即ち、熱パルス）を提供してもよい。人８は、商品３を評価している間にかすかな暖かさの感触として僅かな温度上昇を感じる。したがって、購入する決定をする前に、商品を眺めている（又は吟味している）間に、人の快適感及び幸福感が影響を受ける。このかすかな暖かさの感触の経験は更に、眺めている商品に関連付けられた記憶や憧れも喚起する場合があり、これにより、商品を購入する決定プロセスに影響を及ぼす。したがって、広告装置１０は、見られている商品に対する人の気持ちを強化することによって、当該商品を人が購入するように促進する。
【００４０】
例えば商品３が冬物コートであって、人が（好適には無意識に）放熱器４からの暖かさを感知すると、人は暖かい気持ちを認識し、当該気持ちを冬物コートと関連付け、これにより、人が購入決断をすることが支援される（即ち、人８は、冬物コートを購入する気にさせられる）。人８が、ディスプレイ領域２を離れると、コントローラ６は好適には放熱器を制御して、放熱器をオフにする、又は、エネルギーを節約するために少なくとも熱出力を減少させる。
【００４１】
もう１つの例示的な実施形態（図示せず）では、商品ディスプレイシステムは、店の窓に設けられ、商品は、太陽が降り注ぐ暖かいリゾートへの旅行のマーケティング資料であってよい。検出器は、人の存在を検出し、放熱器は、店の窓の外側及び付近に熱を提供し、これにより、店の窓に近づく人は、そのマーケティング資料を見ている間に暖かさを知覚する。
【００４２】
当然ながら、広告装置の上記の機能は、温度調節デバイスが冷却デバイスを含む場合にも適用可能であるが、当該広告装置は、冷却によって、人の気持ちに影響を及ぼす。
【００４３】
当業者であれば、本発明は、上記の好適な実施形態に決して限定されないことを認識するであろう。それどころか、多くの修正態様及び変更態様が、添付の請求項の範囲内で可能である。
【図１】
0006320934.tif 000002
【図２】
0006320934.tif 000003